(57)【要約】【課題】  ハンドシャワーの使用時に湯温が低下した残留水を使用者が不意に浴びてしまうおそれを確実かつ簡便な手段により減少させることのできるシャワーフックを提供すること。【解決手段】  シャワーフック１（感温部）を、シャワーヘッド４からの吐水の熱が伝達されるように構成されるとともに、吐水の温度により変色する可逆性熱変色性材料により構成した。また、シャワーヘッド４のシャワーフェイス５を壁面２側に向けて係止可能な係止部２０を設けた。本体１０の背面側において吐水を流下させることが可能な流通部を設けた。シャワーフック１（感温部）はフック８ｂにより壁面２との間に挟持固定されるように構成した。【選択図】    図６
2013199759.tif 000002
【特許請求の範囲】
【請求項１】
浴室の壁面などの取付部に固定されてハンドシャワーのシャワーヘッドを着脱自在に固定可能なシャワーフックであって、
本体と、前記シャワーヘッドを係止可能な係止部が備えられ、前記シャワーヘッドからの吐水の熱が伝達されるように構成されるとともに、吐水の温度により変色する可逆性熱変色性材料を有する感温部が備えられたことを特徴とするシャワーフック。
【請求項２】
前記シャワーヘッドのシャワーフェイスを前記取付部側に向けて係止可能な係止部が備えられたことを特徴とする請求項１に記載のシャワーフック。
【請求項３】
前記取付部と、前記取付部にねじ止めされた既設のフックとの間に挟持固定される挟持固定部が備えられたことを特徴とする請求項１又は請求項２に記載のシャワーフック。
【請求項４】
前記係止部に、前記シャワーヘッドを、前記シャワーフェイス面に対して垂直な方向において嵌合固定可能な嵌合部が設けられていることを特徴とする請求項１から請求項３のいずれかに記載のシャワーフック。
【請求項５】
前記係止部に、前記シャワーフェイスの外周部の少なくとも一部を被覆する被覆壁部が設けられたことを特徴とする請求項１から請求項４のいずれかに記載のシャワーフック。
【請求項６】
前記本体の前記取付部側において吐水を流下させることが可能な流通部が備えられていることを特徴とする請求項１から請求項５のいずれかに記載のシャワーフック。
【請求項７】
前記感温部は前記流通部に露呈され、前記感温部に対応する前記シャワーフックの前記本体の正面側の部位が透明な材質によって形成されていることを特徴とする請求項６に記載のシャワーフック。
【発明の詳細な説明】
【技術分野】
【０００１】
本発明は浴室に設置されて、ハンドシャワーのシャワーヘッドを係止するシャワーフックに関する。
【背景技術】
【０００２】
従来、浴室内の壁面などにはフックが配設されており、浴室内に別途備えられたハンドシャワーのシャワーヘッドは、未使用時には、このフックに固定することができるように構成されている。そしてハンドシャワーの未使用時以外にも、シャワーヘッドを把持することなく洗髪や身体にシャワーを浴びたい場合には、このフックにシャワーヘッドを固定して使用者自身に向けてシャワー散水を行うこともできるように構成されている。
【０００３】
ところでシャワー水栓に限らず、温水で吐水していた場合であっても、吐水をいったん停止し一定の時間が経過すると、水栓内部や配管内に残留している温水の温度が低下し、この残留水の温度は温度調節ハンドルによって設定された温度よりもかなり低くなってしまう。このため、シャワーヘッドをフックに固定したまま吐水を再開した場合に、温度の下がってしまった残留する冷水を身体に浴びてしまう恐れなどがあった。このため、このような吐水停止時に発生する冷えた残留水を使用者が浴びないようにするために、残留水を排出するように構成された水栓などが用いられている（例えば、特許文献１参照。）。
【先行技術文献】
【特許文献】
【０００４】
【特許文献１】特開２００３−２４２３２公報（図１）
【発明の開示】
【発明が解決しようとする課題】
【０００５】
前述したような従来の水栓では、残留水を排出するための排出管など配管や弁装置を別途追加する必要があり、コストが嵩む。また、一定量の残留水が排出されるので冷水の一部をあらかじめ除くことはできるが、吐水再開時の湯温が適温まで上昇しているかどうかについて、例えば、身体に浴びる前に使用者が手で湯温を確認するなど、なお、注意を要するという問題があった。また、このように使用者が手などで実際に湯温を確認しない場合には、吐水を再開して吐水が確実に適温となったと推測できる所定以上の時間を経過してから吐水を浴びるなどの対処を要するため、不必要な吐水をそのまま捨てることとなりがちであり省資源対策に反することともなっていた。
【０００６】
本発明は上記した従来技術の問題点を解消するものであり、ハンドシャワーの使用時に湯温が低下した残留水を使用者が不意に浴びてしまうおそれを確実かつ簡便な手段により減少させることのできるシャワーフックを提供することを目的とする。
【課題を解決するための手段】
【０００７】
以上の課題を解決するために、本発明の採った手段を以下に説明する。本発明の第一の手段のシャワーフックは、浴室の壁面などの取付部に固定されてハンドシャワーのシャワーヘッドを着脱自在に固定可能なシャワーフックであって、本体と前記シャワーヘッドを係止可能な係止部が備えられ、前記シャワーヘッドからの吐水の熱が伝達されるように構成されるとともに、吐水の温度により変色する可逆性熱変色性材料を有する感温部が備えられたことを特徴とするシャワーフックである。
【０００８】
シャワーフックは、吐水の温度により変色する可逆性熱変色性材料を有する感温部を備えることにより、シャワーフェイスからの吐水温度が一定以上となったか否かについて、変色により明確に判別することができる。例えば感温部の変色温度域を３８℃〜４０℃程度となるように構成することにより、吐水が適切な温度まで上昇したか否かについて、使用者は目視により確実に確認することができる。このような確認の後にハンドシャワーからの吐水を浴びるようにすることができる。また、感温部の可逆性熱変色性材料は公知の種々のものを用いることができる。
【０００９】
また、本発明の第二の手段のシャワーフックは、前記した第一の手段のシャワーフックにおいて、前記シャワーヘッドのシャワーフェイスを前記取付部側に向けて係止可能な係止部が備えられたことを特徴とするシャワーフックである。
【００１０】
シャワーフックの係止部は、シャワーフェイスを取付部側に向けて係止可能に構成されているので、吐水が使用者側に向けて飛び散る恐れを少なくすることができる。よって、吐水が適切な温度に上昇するまではシャワーヘッドを取付け部側に向けて係止したままにしておくことができ、温度が低下した残留水が使用者にかかる恐れをより低減させることができる。
【００１１】
また、本発明の第三の手段のシャワーフックは、前記した第一の手段又は第二の手段のシャワーフックにおいて、前記取付部と、前記取付部にねじ止めされた既設のフックとの間に挟持固定される挟持固定部が備えられたことを特徴とするシャワーフックである。
【００１２】
ほとんどの浴室の壁面などの取付部には、シャワーヘッドを係止固定することのできるようにフックが既設されている。本発明のシャワーフックでは上記のような挟持固定部を備えることにより、既にねじ止めされている既設のフックのみを用いて壁面などの取付部に固定することができる。また、新たに取付部へねじ止めする必要がなく取付部側への加工も必要が無い。具体的な取り付け方法は、いったん既設のフックのねじを緩めて取り外し、挟持固定部を挟むような態様で既設のシャワーフックとともに再度ねじ止めすることが考えられる。
【００１３】
また、本発明の第四の手段のシャワーフックは、前記した第一の手段から第三の手段のいずれかのシャワーフックにおいて、前記係止部に、前記シャワーヘッドを、前記シャーフェイス面に対して垂直な方向において嵌合固定可能な嵌合部が設けられていることを特徴とするシャワーフックである。
【００１４】
本発明のシャワーフックでは、嵌合部によって、吐水の反動によりシャワーヘッドが振動したりシャワーフックから脱落しないように構成されている。また、嵌合部は、例えばシャワーヘッドをシャワーフックの上方からスライド嵌合するように構成し、シャワーヘッドの前後方向においてはシャワーヘッドを規制するように抑制するように形成するものを例示することができる。
【００１５】
また、本発明の第五の手段のシャワーフックは、前記した第一の手段から第四の手段のいずれかのシャワーフックにおいて、前記係止部に、前記シャワーフェイスの外周部の少なくとも一部を被覆する被覆壁部が設けられたことを特徴とするシャワーフックである。
【００１６】
シャワーフックは、このような被覆壁部を設けることにより、シャワーヘッド側方への吐水の飛び散りを減少させることができる。すなわち、シャワーヘッドを係止した状態における冷水の飛び散りを減少させることができる。
【００１７】
また、本発明の第六の手段のシャワーフックは、前記した第一の手段から第五の手段のいずれかのシャワーフックにおいて、前記本体の前記取付部側において吐水を流下させることが可能な流通部が備えられていることを特徴とするシャワーフックである。
【００１８】
シャワーフックは、本体の背面側において吐水を流下させることにより、正面方向、すなわち使用者方向への吐水の飛び散りを極力抑えることができる。
【００１９】
また、本発明の第七の手段のシャワーフックは、前記した第六の手段のシャワーフックにおいて、前記感温部は前記流通部に露呈され、前記感温部に対応する前記シャワーフックの前記本体の正面側の部位が透明な材質によって形成されていることを特徴とするシャワーフックである。
【００２０】
シャワーヘッドからの吐水が流される流通部がシャワーフック本体の背面側に設けられている場合、吐水による感温部の変色が背面側にのみ生ずるなど、感温部の変色を確認し難いが、本発明のシャワーフックによれば、本体の背面側に配設されている感温部を、本体の正面側から透視できるので、使用者が、目視により吐水の温度上昇を把握することをより確実に行うことができる。
【発明の効果】
【００２１】
本発明は上記のように、シャワーヘッドからの吐水の熱が伝達されるように構成されるとともに、吐水の温度により変色する可逆性熱変色性材料を有する感温部が備えられており、吐水の温度が一定以上となったか否かについて、変色により明確に判別することができるので、使用者が誤って冷水を浴びることが無い。また、所定の温度に達したかを明確に判別できるので、所定の温度の温水になれば直ちに身体等に浴びることができるかを把握できるので、使用者が温水を無駄にすることを少なくすることもできる。また、特に第三の手段のシャワーフックでは、既設の別のシャワーフックを利用することにより、取付部等に別途加工を要せず、設置コストを低減することもできる。また第四の手段のシャワーフックでは取付部への固定をより確実にすることもできる。また第五の手段のシャワーフックではシャワーヘッドを係止した状態における吐水の飛び散りも減少させることにより、使用者に与える不快感をより一層減少させることができる。また特に第六の手段のシャワーフックでは係止状態での吐水を本体の背面側に流下させることができるので、吐水の飛び散りをより一層低減でき、使用者に与える不快感をより一層減少させることができる。また第七の手段のシャワーフックでは本体の背面側に流通部を設けた場合でも、感温部の変色を確実に把握することができ、流通部を背面側にしたことにより吐水の飛び散りを抑えつつも、吐水の温度変化を確実に把握することもできる。
【図面の簡単な説明】
【００２２】
【図１】本発明のシャワーフックの正面側の斜視図である。
【図２】シャワーフェイスを背面側に向けてシャワーヘッドを係止した状態の図１のシャワーフック周辺の斜視図である。
【図３】図１のシャワーフックの背面側の斜視図である。
【図４】シャワーフェイスを正面側に向けてシャワーヘッドを係止した状態の図１のシャワーフックの正面側の斜視図である。
【図５】シャワーフェイスを正面側に向けてシャワーヘッドを係止した状態の図１のシャワーフック周辺の斜視図である。
【図６】シャワーフェイスを背面側に向けてシャワーヘッドを係止した状態の図１のシャワーフックの正面側の斜視図である。
【発明を実施するための形態】
【００２３】
次に、本発明の実施の形態を図を参考にして詳細に説明する。図２に示されるように、本発明のシャワーフック１は、浴室の壁面２に設置固定され、シャワーヘッド４を着脱自在に係止固定可能に設けられたものである。なお、壁面２は第一の手段に示す「取付部」の一例である。シャワーヘッド４は、一端側に湯水混合水栓(図示省略)が接続されたシャワーホース７が接続されており、必要に応じて使用者が把持部４ａを把持して任意の位置において吐水を可能とするハンドシャワーである。取付部２には、大型の鏡３が設置されている。この鏡３の左側の上下２か所において、既設のフック８ａ、８ｂが設置されており、このフック８ａ、８ｂに対してシャワーヘッド４を係止したまま吐水を行うことができるように構成されている。具体的にはフック８ａ、８ｂはそれぞれ、図５等にも示されるように、上方のフック８ａは主に使用者が立って使用し、全身にシャワーフェイス５からの吐水を浴びる際にシャワーヘッド４を係止するために用いられる。下方のフック８ｂは主に使用者が座ったり屈んだりして使用し、洗髪の際などにシャワーフェイス５からの吐水を浴びる際にシャワーヘッド４を係止するために用いられるとともに、シャワーフェイス５からの吐水を行なわない場合に係止しておくために多く用いられる。本シャワーフック１は、取付部２とフック８ｂとで挟持固定されて壁面２に設置固定されている。
【００２４】
ついでシャワーフック１の詳細について説明する。図１に示されるように、シャワーフック１は、全体としては、本体１０が縦長の薄い板状に形成され、この本体１０の上端に係止部２０が正面側に向けて突設されるように備えられている。そして、本例では、シャワーフック１は全体が可逆性熱変色性樹脂材料で形成されている。そして、シャワーヘッド４からの吐水の熱が伝達されて、およそ３８℃〜４０℃の範囲以上において赤色に、これより低い温度では水色に可逆的に変色するように構成されている。本例ではシャワーフック１全体が「感温部」を構成することになる。
【００２５】
本体１０は、平面視において中央付近が正面側に盛り上がるように湾曲して形成されており、図３にも示されるように、この本体１０の背面側の部位が、吐水が流下される流通部４０を構成している。図１に示されるように、本体１０の正面側下端には、その正面側から背面側に向けて凹設された凹部１２が備えられている。凹部１２の下部は下方に向けて開口されている。図４に示されるように、この凹部１２はフック８ｂの正面視外形のうち上面及び両側面とほぼ同形状となるようにその正面視内形が形成されており、凹部１２がフック８ｂにほぼ嵌合するように設けられている。なお、凹部１２の内形はフック８ｂの形状に応じて適宜変更することができる。しかしながらフック８ｂとシャワーフック１とががたつき少なく固定されるためには、本例のように凹部１２がフック８ｂにほぼ嵌合するように凹部１２の内形を形成することが望ましい。
【００２６】
また、図１及び図３に示されるように、シャワーフック１の凹部１２の正面視背面側の挟持固定部１４には、上下に２か所のねじ挿通孔１６ａ、１６ｂが開設されている。ねじ挿通孔１６ａ、１６ｂは、フック８ｂを壁面２にねじ止めするねじ(図示省略)がそれぞれ挿通可能な内径・間隔に形成されており、フック８ｂが、壁面２との間に挟持固定部１４を挟み込むようにしてねじにより壁面２にねじ止めされることにより、挟持固定部１４を堅固に壁面２に固定することができるように構成されている。より具体的には、ねじ止めされることにより、フック８ｂの背面側が凹部１２にはまり込むようにして、挟持固定部１４が、フック８ｂの背面側によって壁面２に押し付けられるようにして挟持固定される。なお、例えばフック８ｂのねじを避けるような別の形状の挟持固定部とし、ねじによる挟持固定部の固定をすることなく、単にフック８ｂにより壁面２との間において挟持固定部を挟持させるのみとすることもできる。また、フック８ｂとシャワーフック１とを一体化した形状とする他のシャワーフックとすることもできる。この場合には本発明のシャワーフックは、図４及び図６に示されるフック８ｂのようなシャワーヘッド４の基端部を係止固定できる部位を備えることになる。
【００２７】
ついで係止部２０について説明する。図１、図４及び図６等に示されるように、係止部２０は、円弧状に湾曲された右被覆壁部２２及び左被覆壁部２４が設けられ、これらの右被覆壁部２２と左被覆壁部２４との上下の端部の間にそれぞれ上部切欠き２６及び下部切欠き２８が備えられており、切欠きを有する円筒に近い全体形状に形成されている。また、この係止部２０は、本体１０の上端から本体１０の正面側やや斜め上に向かって突設されている。
【００２８】
上部切欠き２６の幅は、係止されるシャワーヘッド４のヘッド部４ｂ幅よりも僅かに大きく形成されている。一方、下部切欠き２８の幅はシャワーヘッド４の把持部４ａよりも僅かに大きく形成されている。よって、シャワーヘッド４を、シャワーフェイス５は上にシャワーホース７は下にして、かつ、シャワーフェイス５はシャワーフック１の背面方向に向けて、係止部２０の上方から係止部２０内にスライドさせていくと、シャワーヘッド４の把持部４ａが下部切欠き２８内に挿通されるとともにシャワーヘッド４のヘッド部４ｂは右被覆壁部２２の下端及び左被覆壁部２４の下端により下方向へのスライドが規制され、これによりシャワーヘッド４のヘッド部４ｂは係止部２０の下方向において係止される。
【００２９】
また、図４及び図６に示されるように、右被覆壁部２２及び左被覆壁部２４の先端部２２ａ、２４ａのそれぞれは、シャワーヘッド４のヘッド部４ｂが係止部２０に係止された状態において、ヘッド部４ｂがシャワーフック１の正面方向に移動しないようシャワーフェイス５の外周部６に当接して規制するように、係止部２０の正面視中央に向けてそれぞれ傾斜して形成されている。すなわち、右被覆壁部２２及び左被覆壁部２４は、先端部２２ａ、２４ａ側において中心に向けて傾斜され、右被覆壁部２２及び左被覆壁部２４全体として「すり鉢」状に形成されている。このようにして、シャワーヘッド４のヘッド部４ｂは係止部２０の前後方向のいずれにおいても嵌合状態で係止される。これらの先端部２２ａ、２４ａが第四の手段に言う「嵌合部」を構成する。前述のように、先端部２２ａ、２４ａが中心に向けて傾斜されるようにして「嵌合部」を構成し、シャワーヘッド４のヘッド部４ｂが前方に移動するおそれはない。また、後方への移動もしないように嵌合されている。よって、特に吐水を開始した際に吐水の反動によりシャワーヘッド４が前方に飛び出たりするおそれを軽減することができる。以上のように、シャワーヘッド４がシャワーフック１の背面方向にシャワーフェイス５を向けて係止部２０に係止された際には、上方にのみシャワーヘッド４を抜くことができることになる。また、係止部２０の前後方向においてヘッド部４ｂを嵌合することにより、シャワーヘッド４を係止部２０に係止した状態で吐水を開始しても、シャワーヘッド４が、吐水の反動で係止部２０から脱落したり係止部２０内で振動したりする恐れを低減することができる。また、右被覆壁部２２及び左被覆壁部２４が、シャワーフェイス５の外周部６を被覆することができるので、シャワーフェイス５をシャワーフック１の背面方向に向けてシャワーヘッド４を係止部２０に係止した際に、シャワーヘッド４の側方への吐水の飛び散りを減少させることができる。
【００３０】
また、図１及び図３に示されるように、係止部２０の奥端には、下方寄りのみを開口する開口部３０を備えた壁部３２が設けられている。シャワーヘッド４が係止部２０に係止されたシャワーフェイス５をシャワーフック１の背面方向に向けて吐水を開始すると、シャワーフェイス５からの吐水はこの壁部３２に当たり、壁面２に直接吐水が当たることによる騒音を防止することができる。また、壁部３２は中央がやや窪んで凹設されており、壁部３２に当たった吐水を、後述する流通部４０の左右方向における中央付近に集めることができるように構成されている。
【００３１】
ついで流通部４０について説明する。図３に示されるように、流通部４０は本体１０の背面側に備えられている。シャワーヘッド４が、シャワーフェイス５をシャワーフック１の背面方向に向けて係止部２０に係止された際には、シャワーヘッド４からの吐水はこの流通部４０内を流下する。なお、流通部４０内において、流通部４０の左右方向の中央付近に向けて吐水を集めるためのリブなどを設けることとしても良い。また、本体１０の背面側の両側端と凹部１２の左右両側端との間には、流通部４０から流下してきた湯水をシャワーフック１外に排出する排出口４２ａ、４２ｂがそれぞれ形成されている。このように、シャワーヘッド４からの吐水は、流通部４０を流下して排出口４２ａ、４２ｂから排出されるので開口部３０から流下される吐水は、本体１０の正面側に飛び散ることがなく、流通部４０内を流下する湯水が周囲へ飛び散るおそれを低減することができる。
【００３２】
以上のように構成されたシャワーフック１は次のように使用することができる。図４及び図５に示されるように、シャワーヘッド４の未使用時及びシャワーヘッド４から吐水される湯水が十分な温度の湯水となっているなどの場合には、シャワーフェイス５を使用者側に向けて、シャワーヘッド４をフック８ｂに係止しておけば良い。また、同様に、上方のフック８ａに係止しておいても良い。一方、吐水開始時の冷水を浴びることを避けるためには、図２及び図６に示されるように、まずはシャワーフェイス５を使用者側と反対方向、すなわち壁面２側に向けてシャワーヘッド４をフック８ｂに係止しておく。所定以上の温度に温まっていないシャワーフック１全体は、可逆性熱変色性樹脂材料で形成されているため、この時点では水色となっている。この状態からシャワーヘッド４からの吐水を開始すると、係止部２０奥の壁部３２に当たった湯水は開口部３０から流通部４０に流下される。吐水の温度が十分に上昇し、この吐水により流通部４０が３８℃〜４０℃程度に温まると、「感温部」の一部である流通部４０は可逆性熱変色性樹脂材料で構成されているため、赤色に変色する。すなわちこの時点で、吐水の温度が十分に上昇していることになる。使用者はシャワーフック１の赤色への変色を待ってシャワーヘッド４を把持して使用すれば、吐水の温度を実際に手で触って確認することなく使用でき、意図せずに冷水を浴びてしまう恐れを減少させることができる。
【００３３】
本発明の実施の形態は前述のように構成されているが、本発明はこの実施の形態に限られるものではなく、本発明の趣旨の範囲内で種々の変更が可能である。例えば、前述の例では、シャワーフック１全体が可逆性熱変色性樹脂材料で構成されているが、例えば、ＡＢＳ樹脂製等のシャワーフックの表面に可逆性熱変色性塗料を塗布することとしても良い。
【００３４】
また、シャワーフック１の流通部４０を本体１０の背面側にしたために吐水による変色を認識し難い場合には、前述の実施の形態と異なる下記のような構成を取ることができる。例えば、流通部４０の下方寄りにおいて、本体１０の正面側を吐水が流下して本体１０の正面側において吐水の温度変化による変色が的確になされ使用者に変色を認識させ易いようにするために、流通部４０の下方寄りにおいて、本体１０の正面側に吐水を導く導水孔などを開設することとしても良い。この場合などにおいては、導水孔より下方の本体１０の正面側の表面に可逆性熱変色性材料を塗布したシールなどを貼ることとしても良い。また、この場合において、シールなどの感温部を、吐水があたたまったことを示す文字など(例えば「温」)として表示させるように形成しても良い。また、流通部４０から本体１０の正面側にかけて貫通された貫通孔と、流通部４０に露呈されるとともに貫通孔に挿嵌された伝熱部材とが備えられ、感温部は、本体１０の正面側に露呈されるとともに伝熱部材に接触した状態で固定されているものとすることもできる。具体的には、流通部４０を流下する吐水から伝熱する金属板を本体１０の正面側に露呈させ、この金属板に接触するようにして本体１０の正面側に露呈させた感温部(可逆性熱変色性樹脂部品や可逆性熱変色性材料を塗布したシールなど)を設け、本体１０の正面側において変色を明示させるものでも良い。このような金属板は、本体１０の裏表に貫通する孔をあけて取り付けても良い。また、感温部は流通部４０に露呈され、感温部に対応するシャワーフック１の本体１０の正面側の部位が透明な材質によって形成されているものとすることもできる。具体的には、感温部を流通部４０内において露呈させ、感温部に対応するシャワーフック１の本体１０の正面側の部位において少なくとも透明な材質とすることにより、本体１０の背面側にある感温部を視認しやすくできる。また、前述の例において、使用者が目視できる排出口４２ａ、４２ｂの下方近傍に、排出される吐水を受けて変色可能な感温部を設けても良い。
【００３５】
また、シャワーヘッド４のシャワーフェイス５がシャワーフック１の正面方向に向いた状態において、シャワーフェイス５の手前側を覆うように左右両側から突設された感温部を備えるものなども可能である。例えば、このような感温部をゴムなどとともに形成し、シャワーヘッド４を係止する場合には、この感温部を左右に押し開くようにして奥側にシャワーヘッド４を押し込み係止する。係止された状態では、シャワーフェイス５からの吐水は前方の感温部に当たり使用者側への吐水が制限される一方、吐水が所定の温度以上となれば変色する。感温部の面積を大きくとるなど吐水のほとんどを遮ることができる形状にすれば、シャワーフェイス５が正面方向を向いて係止されていても、吐水の飛び散りを最小限に抑えることができる。そして、吐水が所定の温度になったことを示すように感温部が変色した後に、感温部を再び押し開いてシャワーヘッド４を取り外して使用すればよい。
【００３６】
また、前述して明示した以外の技術的思想としては以下のものがある。例えば、前記した第一の手段から第三の手段のいずれかのシャワーフックにおいて、前記挟持固定部に、前記取付部に対してねじ止めして固定するためのねじ挿通孔が備えられたことを特徴とするシャワーフックである。ねじ挿通孔を備えて取付部に対してねじ止め可能に構成することにより、本シャワーフックをより堅固に取付部に固定することができる。
【産業上の利用可能性】
【００３７】
本発明は、種々のハンドシャワーを係止するためのシャワーフックとして広く利用することができる。
【符号の説明】
【００３８】
１；シャワーフック（感温部）、２；壁面、３；鏡、４；シャワーヘッド、４ａ；把持部、４ｂ；ヘッド部、５；シャワーフェイス、６；外周部、７；シャワーホース、８ａ，８ｂ；フック、１０；本体、１２；凹部、１４；挟持固定部、１６ａ，１６ｂ；ねじ挿通孔、２０；係止部、２２；右被覆壁部、２２ａ；先端部、２４；左被覆壁部、２４ａ；先端部、２６；上部切欠き、２８；下部切欠き、３０；開口部、３２；壁部、４０；流通部、４２ａ，４２ｂ；排出口。
【図１】
2013199759.tif 000003
【図２】
2013199759.tif 000004
【図３】
2013199759.tif 000005
【図４】
2013199759.tif 000006
【図５】
2013199759.tif 000007
【図６】
2013199759.tif 000008